(57)【要約】      （修正有）【課題】宙で動体となっている球を人の手を借りずに打つことができ、障害物となる方向、つまり打ち返すエリアにマシンを置かないこと。かつ、打者が打ちやすい垂直方向の所定の高さへ球が一定の間隔で飛び出し、容易に持ち運びができコンパクトな装置を提供する。【解決手段】一定方向に回転する低速モーター５と連動するセグメントギア６が回転すると、ロープ８を牽引しながら巻き上げギア７が回転しシリンダースプリング９を収縮させる。シリンダースプリングが最大限収縮するタイミングに合わせて巻き上げギアがセグメントギアのギア部分から開放されると巻き上げギアがフリーとなって逆回転し、シリンダースプリングが一気に伸張するとともにピストン１１がノッカー４部分にある球１を垂直方向の所定の高さへ突き上げる。打者は垂直方向の所定の高さへ飛び出した球１を繰り返し打つことができる。【選択図】図２
0003112081.tif 000002
【実用新案登録請求の範囲】
【請求項１】
一定方向に回転する低速モーターに連動するセグメントギアが回転すると、ロープを牽引しながら巻き上げギアが回転しシリンダースプリングを収縮させる。シリンダースプリングが最大限収縮するタイミングに合わせて巻き上げギアがセグメントギアのギア部分から開放されると巻き上げギアがフリーとなって逆回転し、シリンダースプリングが一気に伸張するとともにピストンがノッカー部分にある球を垂直方向の所定の高さへ突き上げる。セグメントギアの特質を活かし巻き上げギアと噛み合わせることでこの機能が一定の間隔で繰り返されるので、打者は垂直方向の所定の高さへ飛び出した球を繰り返し打つことができるバッティングマシン。
【考案の詳細な説明】
【技術分野】
【０００１】  本考案は、バッティングマシンに関するものである。
【背景技術】
【０００２】  野球やテニスの打撃練習で宙で動体となっている球を打つには、打撃練習用として普及されている投球マシン又はトス用バッティングマシンの球を打つか、あるいは人に投げてもらう球を打つのが一般的であった。【０００３】  投球マシンで打撃練習をするには奥行きと広さという相応の競技スペースが必要であり、人に投げてもらう打撃練習では経済的並びに労働的負担が伴う。そこで、普及されてはいないが、打ち返すエリアの前方から球が飛び出すトス用バッティングマシンが考案されているが、打ち損じた球がマシンに当たったり、また、マシンが視野に入って打ちにくく障害物となっていた。
【考案の開示】
【考案が解決しようとする課題】
【０００４】  本考案は、宙で動体となっている球を人の手を借りずに打つことができること、障害物となる方向、つまり打ち返すエリアにマシンを置かないこと、かつ、打者が打ちやすい垂直方向の所定の高さへ球が一定の間隔で飛び出すこと、容易に持ち運びができコンパクトで極めて単純な機構にまとめること、という課題を解決しようとするものである。
【課題を解決するための手段】
【０００５】  本考案は、一定方向に回転する低速モーターと連動してセグメントギアが回転すると、ロープを牽引しながら巻き上げギアが回転しシリンダースプリングを収縮させる。シリンダースプリングが最大限収縮するタイミングに合わせて巻き上げギアがセグメントギアのギア部分から開放されると巻き上げギアがフリーとなって逆回転し、シリンダースプリングが一気に伸張するとともにピストンがノッカー部分にある球を垂直方向の所定の高さへ突き上げる。セグメントギアの特質を活かし巻き上げギアと噛み合わせることでこの機能が一定の間隔で繰り返されるので、打者は本考案のマシンが障害物とならず垂直方向の所定の高さへ飛び出した球を繰り返し打つことができる。
【考案の効果】
【０００６】  上述のような機能をもつことから、垂直方向の所定の高さへ一定の間隔で球が飛び出すので、球を補給すれば打者は人の手を借りずに繰り返し打つことができ、打ち返すエリアにマシンを置く必要がないので障害物とならず、打者はポイントやタイミングを図りながら実戦に近い広角的な打撃練習ができる。また、打席スペースと防護ネットさえあれば、室内でも打撃練習ができる。
【考案を実施するための最良の形態】
【０００７】  球▲１▼が球カゴ▲２▼から導球管▲３▼を通ってノッカー▲４▼部分に下りてくるよう本体の導球管▲３▼に適宜勾配をつける。【０００８】  一定方向に低速で回転するモーター▲５▼に連動するセグメントギア▲６▼と巻き上げギア▲７▼を噛み合わせる。【０００９】  セグメントギア▲６▼の回転により巻き上げギア▲７▼が回転するとき、牽引ロープ▲８▼がシリンダースプリング▲９▼を垂直に収縮させるよう車軸▲１０▼を取り付ける。【００１０】  シリンダースプリング▲９▼が最大限収縮するタイミングに合わせて、巻き上げギア▲７▼がセグメントギア▲６▼のギア部分から開放され巻き上げギア▲７▼がフリーとなって逆回転し、シリンダースプリング▲９▼が一気に伸張するとともにピストン▲１１▼がノッカー▲４▼部分にある球▲１▼を突き上げる。球▲１▼が垂直方向の所定の高さへ飛び上がよう筒先▲１２▼も垂直にする。【００１１】  球▲１▼の大きさや重さが異なる場合は、モーター▲５▼やシリンダースプリング▲９▼等を適宜調整又は選択する。【００１２】  ケースはグランド等に固定する場合のアンカー用の穴があり、また、持ち運びが容易になるようアジャスト付キャスター（図示せず）を取り付ける。
【実施例】
【００１３】  以下、添付図面に従って野球の場合の一実施例を説明する。球カゴ▲２▼から導球管▲３▼を下りてきた球▲１▼は、ノッカー▲４▼部分で止まっている。モーター▲５▼に連動するセグメントギア▲６▼が回転すると、ロープ▲８▼を牽引しながら巻き上げギア▲７▼が回転しシリンダースプリング▲９▼を収縮させる。シリンダースプリング▲９▼が最大限収縮するタイミングに合わせて巻き上げギア▲７▼がセグメントギア▲６▼のギア部分から開放されると、シリンダースプリング▲９▼が一気に伸張するとともにピストン▲１１▼がノッカー▲４▼部分にある球▲１▼を垂直方向の所定の高さへ突き上げる。
【図面の簡単な説明】
【００１４】
【図１】本考案の断面図である。回転するセグメントギア▲６▼によってロープ▲８▼を牽引しながら巻き上げギア▲７▼が回転しシリンダースプリング▲９▼が収縮しピストン▲１１▼によって球▲１▼が突き上げられる直前の状態を示す。
【図２】本考案のシリンダースプリング▲９▼とピストン▲１１▼付近の断面図である。巻き上げギア▲７▼がセグメントギア▲６▼のギア部分から開放され、巻き上げギア▲７▼がフリーとなって逆回転し、シリンダースプリング▲９▼が一気に伸張するとともにピストン▲１１▼が球▲１▼を垂直方向の所定の高さへ突き上げた状態を示す。
【図３】本考案の球カゴの平面図である。
【図４】本考案の球カゴの断面図である。
【符号の説明】
【００１５】▲１▼  球
▲２▼  球カゴ
▲３▼  導球管
▲４▼  ノッカー
▲５▼  モーター
▲６▼  セグメントギア
▲７▼  巻き上げギア
▲８▼  ロープ
▲９▼  シリンダースプリング
▲１０▼  車軸
▲１１▼  ピストン
▲１２▼  筒先
【図１】
0003112081.tif 000003
【図２】
0003112081.tif 000004
【図３】
0003112081.tif 000005
【図４】
0003112081.tif 000006
【手続補正書】
【提出日】平成17年4月4日(2005.4.4)
【手続補正１】
【補正対象書類名】実用新案登録請求の範囲
【補正対象項目名】全文
【補正方法】変更
【補正の内容】
【実用新案登録請求の範囲】
【請求項１】
低速モーターと一体にしたセグメントギアとかみ合う巻き上げギアにロープを取り付け、シリンダースプリングに引っかかるピストンをロープの先端に接続し、球を突くノッカー部分にピストンがくるように構成されたバッティングマシンにおいて、低速モーターで一定方向に回るセグメントギアにより巻き上げギアが回転すると、シリンダースプリングが収縮すると同時にセグメントギアからフリーとなった巻き上げギアが空転し、シリンダースプリングが一気に伸張してピストンがノッカー部分にある球を垂直方向の所定の高さへ突き上げる、この動作を繰り返すことを特徴とするバッティングマシン。